(57)【特許請求の範囲】
【請求項１】
発光素子を含む光源部と、
前記光源部に電力を供給する電源部と、
前記光源部及び前記電源部が固定されている第１ベース部と
を備え、
前記光源部と前記電源部とは、前記第１ベース部を挟むように、前記第１ベース部に固定され、
前記光源部は、前記第１ベース部の所定領域に固定されており、
前記電源部は、前記第１ベース部のうち前記所定領域の反対側に固定されており、
前記電源部からの電力を前記光源部に供給する第１電力線をさらに備え、
前記第１ベース部は、引出部を有し、
前記第１電力線は、前記引出部から前記所定領域の反対側に引き出され、
前記光源部は、
前記発光素子が取り付けられている基板と、
前記所定領域の側で前記基板を保持する保持部と、
前記保持部と前記第１ベース部と前記電源部とを結合する結合具と
を含む、光源ユニット。
【請求項２】
発光素子を含む光源部と、
前記光源部に電力を供給する電源部と、
前記光源部及び前記電源部が固定されている第１ベース部と
を備え、
前記光源部と前記電源部とは、前記第１ベース部を挟むように、前記第１ベース部に固定され、
前記光源部は、前記第１ベース部の所定領域に固定されており、
前記電源部は、前記第１ベース部のうち前記所定領域の反対側に固定されており、
前記電源部からの電力を前記光源部に供給する第１電力線をさらに備え、
前記第１ベース部は、引出部を有し、
前記第１電力線は、前記引出部から前記所定領域の反対側に引き出され、
前記光源部は、
前記発光素子が取り付けられている基板と、
前記基板と前記第１ベース部と前記電源部とを結合する結合具と
を含む、光源ユニット。
【請求項３】
前記電源部に電力を供給する第２電力線と、
前記第２電力線に接続されるコネクタと
をさらに備える、請求項１または請求項２に記載の光源ユニット。
【請求項４】
前記光源部を覆うカバーをさらに備え、
前記カバーは、前記光源部に固定されている、請求項１から請求項３のいずれか１項に記載の光源ユニット。
【請求項５】
前記第１ベース部は、前記発光素子からの熱を放散する、請求項１から請求項４のいずれか１項に記載の光源ユニット。
【請求項６】
請求項１から請求項５のいずれか１項に記載の光源ユニットと、
前記電源部を収容する第２ベース部と、
前記光源ユニットを前記第２ベース部に固定する固定具と
を備える、照明器具。
【発明の詳細な説明】
【技術分野】
【０００１】
本発明は、光源ユニット及び照明器具に関する。
【背景技術】
【０００２】
特許文献１に記載されたＬＥＤ灯具は、容器型灯具本体と、容器型灯具本体に取り付けられるＬＥＤ光源ユニットとを備える。容器型灯具本体内には、電源コネクタが設けられる。
【先行技術文献】
【特許文献】
【０００３】
【特許文献１】特開２０１４−１１０１５３号公報
【発明の概要】
【発明が解決しようとする課題】
【０００４】
しかしながら、特許文献１に記載されたＬＥＤ灯具では、電源を交換する場合、容器型灯具本体内の電源コネクタを外す作業に加えて、電源を取り出す作業が要求される。従って、電源を交換するための手間がかかる。
【０００５】
本発明は上記課題に鑑みてなされたものであり、その目的は、容易に電源を交換できる光源ユニット及び照明器具を提供することにある。
【課題を解決するための手段】
【０００６】
本願に開示する光源ユニットは、光源部と、電源部と、第１ベース部とを備える。光源部は、発光素子を含む。電源部は、前記光源部に電力を供給する。第１ベース部には、前記光源部及び前記電源部が固定されている。前記光源部と前記電源部とは、前記第１ベース部を挟むように、前記第１ベース部に固定されている。前記光源部は、前記第１ベース部の所定領域に固定されている。前記電源部は、前記第１ベース部のうち前記所定領域の反対側に固定されている。前記光源ユニットは、前記電源部からの電力を前記光源部に供給する第１電力線をさらに備える。前記第１ベース部は、引出部を有する。前記第１電力線は、前記引出部から前記所定領域の反対側に引き出されている。前記光源部は、基板と、保持部と、結合具とを含む。前記基板には、前記発光素子が取り付けられている。前記保持部は、前記所定領域の側で前記基板を保持する。前記結合具は、前記保持部と前記第１ベース部と前記電源部とを結合する。
【０００７】
本願に開示する光源ユニットは、光源部と、電源部と、第１ベース部とを備える。光源部は、発光素子を含む。電源部は、前記光源部に電力を供給する。第１ベース部には、前記光源部及び前記電源部が固定されている。前記光源部と前記電源部とは、前記第１ベース部を挟むように、前記第１ベース部に固定されている。前記光源部は、前記第１ベース部の所定領域に固定されている。前記電源部は、前記第１ベース部のうち前記所定領域の反対側に固定されている。光源ユニットは、前記電源部からの電力を前記光源部に供給する第１電力線をさらに備える。前記第１ベース部は、引出部を有する。前記第１電力線は、前記引出部から前記所定領域の反対側に引き出されている。前記光源部は、基板と、結合具とを含む。前記基板には、前記発光素子が取り付けられている。前記保持部は、前記所定領域の側で前記基板を保持する。前記結合具は、前記基板と前記第１ベース部と前記電源部とを結合する。
【０００９】
本願に開示する光源ユニットは、第２電力線と、コネクタとをさらに備えることが好ましい。第２電力線は、前記電源部に電力を供給することが好ましい。コネクタは、前記第２電力線に接続されることが好ましい。
【００１０】
本願に開示する光源ユニットは、前記光源部を覆うカバーをさらに備えることが好ましい。前記カバーは、前記光源部に固定されていることが好ましい。
【００１１】
本願に開示する光源ユニットにおいて、前記第１ベース部は、前記発光素子からの熱を放散することが好ましい。
【００１２】
本願に開示する照明器具は、上記に記載の光源ユニットと、第２ベース部と、固定具とを備える。第２ベース部は、前記電源部を収容する。固定具は、前記光源ユニットを前記第２ベース部に固定する。
【発明の効果】
【００１３】
本発明によれば、容易に電源を交換できる。
【図面の簡単な説明】
【００１４】
【図１】本発明の実施形態に係る照明器具を示す模式的断面図である。
【図２】本発明の実施形態に係る照明器具を示す分解斜視図である。
【図３】本発明の実施形態に係る照明器具の光源ユニットを示す模式的断面図である。
【図４】本発明の実施形態の変形例に係る照明器具を示す分解斜視図である。
【発明を実施するための形態】
【００１５】
以下、本発明の実施形態について、図面を参照しながら説明する。なお、図中、同一または相当部分については同一の参照符号を付して説明を繰り返さない。
【００１６】
図１は、本発明の実施形態に係る照明器具１を示す模式的断面図である。図１に示すように、照明器具１は、台１０と、コード２０と、連結部３０と、セード４０と、第１ベース部１２０を含む光源ユニット１００と、第２ベース部１５０と、固定具１８０とを備える。照明器具１は、例えばスタンドライトである。図１では、図面の簡略化のため、断面を示す斜線を省略している。第１ベース部１２０については後述する。
【００１７】
台１０は、例えば載置面Ｃに載置される。載置面Ｃは、例えば、床の裏面と表面とのうちの表面である。本実施形態では、載置面Ｃは水平方向に沿って延びる。コード２０は、台１０から引き出され、外部電源に接続されている。本実施形態において、外部電源は商用電源である。連結部３０は、第２ベース部１５０と台１０とを連結する。本実施形態では、連結部３０は、鉛直方向に沿って延びる。セード４０は、光源ユニット１００が出射した光を拡散、反射、又は吸収する。
【００１８】
光源ユニット１００は、光源部１１０と、電源部１９０とをさらに含む。光源部１１０は、例えば、照射方向ＬＡに向かって最も強く発光する。照射方向ＬＡは光源部１１０の光軸に略平行である。電源部１９０は、光源部１１０に電力を供給する。第１ベース部１２０には、光源部１１０及び電源部１９０が固定されている。具体的には、光源部１１０と電源部１９０とは、第１ベース部１２０を挟むように、第１ベース部１２０に固定されている。
【００１９】
第２ベース部１５０は、例えば金属で形成される。固定具１８０は、光源ユニット１００を第２ベース部１５０に固定する。
【００２０】
以上、図１を参照して説明したように、本実施形態によれば、第１ベース部１２０に光源部１１０と電源部１９０とが固定されている。つまり、光源ユニット１００が１ユニット化されている。従って、光源ユニット１００を取り外すことによって、光源部１１０とともに電源部１９０を取り外すことが出来る。その結果、光源ユニット１００を交換することによって、電源部１９０を容易に交換できる。また、光源ユニット１００を取り外すことによって、光源ユニット１００に故障が生じたとしても照明器具１の全体を廃棄することなく、光源ユニット１００だけを廃棄できる。さらに、光源ユニット１００を交換することによって、光源部１１０を容易に交換できる。
【００２１】
また、本実施形態によれば、固定具１８０を第２ベース部１５０から取り外すことによって、光源部１１０と電源部１９０とが第１ベース部１２０に固定されたたまま第１ベース部１２０を取り外すことができる。従って、光源ユニット１００を照明器具１から容易に取り外すことができる。その結果、光源ユニット１００に含まれる電源部１９０を更に容易に交換できる。以下、図２及び図３を参照して、照明器具１について詳細に説明する。
【００２２】
まず、図２を参照して、照明器具１の構成について説明する。図２は、照明器具１を示す分解斜視図である。図２に示すように、照明器具１は、第１電力線１３０、第２電力線１６０及び第１コネクタ１７０をさらに備える光源ユニット１００と、第２コネクタ２００と、第３電力線２１０と、第２ベース部１５０と、連結部３０とを備える。第１コネクタ１７０、第１電力線１３０、及び第２電力線１６０については後述する。
【００２３】
次に、図２及び図３を参照して、光源ユニット１００について詳細に説明する。図３は、光源ユニット１００を示す模式的断面図である。図２及び図３に示すように、光源ユニット１００は、放熱シート１２５と、カバー１４０とをさらに備える。
【００２４】
カバー１４０は、略ドーム状であり、光源部１１０を覆う。カバー１４０は、２つの係合孔１４１を有している。カバー１４０は、透明又は半透明であり、光源部１１０が出射した光を透過させる。ただし、カバー１４０は、光源部１１０が出射した光を拡散して出射してもよい。例えば、カバー１４０は、光拡散材料を混ぜた樹脂を略ドーム状に成形することによって形成される。例えば、カバー１４０は、透明又は半透明の略ドーム状の部材の光出射面又は光入射面に微小な凹凸を設けることによって形成される。例えば、カバー１４０は、乳白色のような色彩を有していてもよい。さらに、カバー１４０は、略ドーム状に限定されず、任意の形状であってもよい。例えば、カバー１４０は、レンズ機能を有する形状を有していてもよい。レンズ機能とは、光を屈折させて、光を発散又は収束させる機能のことである。
【００２５】
光源部１１０は、複数の発光素子１１１と、基板１１２と、保持部１１３と、結合具１１６とを含む。光源部１１０は、照射方向ＬＡに向かってカバー１４０の側に光を出射する。具体的には、発光素子１１１の各々は、照射方向ＬＡに向かってカバー１４０の側に光を出射する。発光素子１１１は、本実施形態では、ＬＥＤ（Ｌｉｇｈｔ  Ｅｍｉｔｔｉｎｇ  Ｄｉｏｄｅ）である。発光素子１１１は、基板１１２のうち、カバー１４０の側の面、つまり、実装面に取り付けられている。なお、図２及び図３では、図面の簡略化のため、複数の発光素子１１１をまとめて円板状に示している。また、光源部１１０は単数の発光素子１１１を含んでいてもよい。
【００２６】
複数の発光素子１１１は、本実施形態では、ＣＯＢ（Ｃｈｉｐ  ｏｎ  Ｂｏａｒｄ）タイプである。ＣＯＢタイプでは、基板１１２の実装面上で複数のＬＥＤが蛍光体で封止されている。なお、複数の発光素子１１１は、ＳＭＤ（Ｓｕｒｆａｃｅ  Ｍｏｕｎｔ  Ｄｅｖｉｃｅ）タイプであってもよい。ＳＭＤタイプでは、ＬＥＤと蛍光体とを１ユニット化してＬＥＤチップが形成され、複数のＬＥＤチップが基板１１２の実装面に載置されて基板１１２の導電パターンに電気的に接続されている。複数の発光素子１１１がＳＭＤタイプである場合には、光源部１１０は、保持部１１３を有していなくてもよい。そして、基板１１２が、固定具（例えば、ネジ）によって第１ベース部１２０に固定されてもよい。
【００２７】
基板１１２は、平面視において略矩形状である。基板１１２は、照射方向ＬＡに略直交する。
【００２８】
基板１１２は、アノード電極１１２ａとカソード電極１１２ｂとを有する。アノード電極１１２ａとカソード電極１１２ｂとは、基板１１２の実装面上に位置する。アノード電極１１２ａとカソード電極１１２ｂとは、それぞれ、基板１１２の対向する一対の隅部に位置する。アノード電極１１２ａ及びカソード電極１１２ｂは、それぞれ、発光素子１１１のアノード及びカソードと電気的に接続されている。さらに、アノード電極１１２ａ及びカソード電極１１２ｂは、それぞれ、保持部１１３のアノード電極及びカソード電極と電気的に接続されている。
【００２９】
保持部１１３は、略円盤状であり、絶縁体により形成される。本実施形態では、保持部１１３はソケットである。具体的には、保持部１１３は、２つの貫通孔１１３ｃ、開口部１１４及び２つの爪部１１５を有している。開口部１１４は、略円形状であり、保持部１１３の略中央部に位置する。発光素子１１１は、カバー１４０に向かって開口部１１４から露出している。２つの貫通孔１１３ｃは、開口部１１４を挟むように位置している。２つの貫通孔１１３ｃの各々は、照射方向ＬＡに沿って保持部１１３を貫通している。
【００３０】
２つの爪部１１５は、開口部１１４を挟むように位置している。２つの爪部１１５は、それぞれ、カバー１４０の２つの係合孔１４１に係合する。その結果、カバー１４０は、保持部１１３に固定されるとともに、保持部１１３を覆う。すなわち、カバー１４０は、光源部１１０に固定されるとともに、光源部１１０を覆う。
【００３１】
放熱シート１２５は、略円形状である。放熱シート１２５は、例えば合成ゴム製のシート材により形成される。放熱シート１２５は、光源部１１０と第１ベース部１２０との間に介在する。具体的には、放熱シート１２５の一方の面は、基板１１２の実装面の反対側の面に対向している。また、放熱シート１２５の他方の面は、第１ベース部１２０に対向している。
【００３２】
放熱シート１２５は、基板１１２の実装面の反対側の面と第１ベース部１２０とに密着している。従って、放熱シート１２５は、発光素子１１１からの熱を第１ベース部１２０に効率良く伝達する。
【００３３】
放熱シート１２５は、貫通孔１２５ａ、及び２つの貫通孔１２５ｃを有する。２つの貫通孔１２５ｃの位置は、保持部１１３の２つの貫通孔１１３ｃの位置に対応する。
【００３４】
第１ベース部１２０は、略円板状である。第１ベース部１２０は、基板１１２に沿って配置される。具体的には、第１ベース部１２０は、照射方向ＬＡに略直交するように、基板１１２に略平行に配置される。第１ベース部１２０は、第１面１２１、第２面１２２、貫通孔１２０ａ（引出部）、２つの貫通孔１２０ｃ、及び２つの貫通孔１２０ｄを有する。
【００３５】
第１ベース部１２０のうち第１面１２１は、放熱シート１２５に対向する。第１面１２１は、第１所定領域１２１Ｗ（所定領域）と第２所定領域１２１Ｓとを有する。図２では、理解の容易のため、第１所定領域１２１Ｗと第２所定領域１２１Ｓとの境界を破線で示している。第２所定領域１２１Ｓは、第１面１２１のうち、第１所定領域１２１Ｗの外側の領域である。
【００３６】
光源部１１０は、放熱シート１２５を介して第１ベース部１２０の第１所定領域１２１Ｗに固定されている。具体的には、保持部１１３は、放熱シート１２５を介して、第１所定領域１２１Ｗの側で基板１１２を保持しつつ、第１ベース部１２０の第１所定領域１２１Ｗに固定されている。従って、第２所定領域１２１Ｓは、保持部１１３に対して第１ベース部１２０の径方向外側に張り出している。貫通孔１２０ａの位置は、放熱シート１２５の貫通孔１２５ａの位置に対応する。第１所定領域１２１Ｗの側とは、第１ベース部１２０のうち、照射方向ＬＡを向いている側である。
【００３７】
第１ベース部１２０のうち第２面１２２は、第１面１２１の反対側の面である。第２面１２２は、第３所定領域１２２Ｗと第４所定領域１２２Ｓとを有する。第４所定領域１２２Ｓは、第２面１２２のうち、第３所定領域１２２Ｗの外側の領域である。第３所定領域１２２Ｗは、第１所定領域１２１Ｗの反対側の領域である。すなわち、第３所定領域１２２Ｗと、第１所定領域１２１Ｗとは対向する。また、第４所定領域１２２Ｓは、第２所定領域１２１Ｓの反対側の領域である。すなわち、第４所定領域１２２Ｓと、第２所定領域１２１Ｓとは対向する。つまり、第４所定領域１２２Ｓは、保持部１１３に対して第１ベース部１２０の径方向外側に張り出している。
【００３８】
貫通孔１２０ａは、第１所定領域１２１Ｗから第３所定領域１２２Ｗまで貫通する。貫通孔１２０ａの位置は、放熱シート１２５の貫通孔１２５ａの位置に対応する。２つの貫通孔１２０ｃは、第１所定領域１２１Ｗから第３所定領域１２２Ｗまで貫通する。２つの貫通孔１２０ｃの位置は、放熱シート１２５の２つの貫通孔１２５ｃの位置に対応する。２つの貫通孔１２０ｄは、第２所定領域１２１Ｓから第４所定領域１２２Ｓまで貫通する。
【００３９】
第１ベース部１２０は、発光素子１１１からの熱を放散する。具体的には、第１ベース部１２０は、放熱シート１２５によって伝達される光源部１１０からの熱を放散する。本明細書において、熱の放散とは、放熱のことであり、発熱または蓄熱している物体から、その物体の周囲の空気へ熱が伝わることである。また、光源部１１０が発した熱の大部分は、発光素子１１１が発した熱である。第１ベース部１２０は、伝熱性の高い材料で形成されており、例えば金属で形成されていることが好ましい。金属の中でも、成形加工の容易性や照明器具１の軽量化を考慮し、例えばアルミニウムまたはアルミニウム合金で形成されていることが好ましい。第１ベース部１２０は、光源部１１０の異常な温度上昇を抑制できる。
【００４０】
第１電力線１３０の一端は光源部１１０に接続され、第１電力線１３０の他端は電源部１９０に接続される。具体的には、第１電力線１３０は、光源部１１０に電力を供給するために、第１電源線１３１及び第２電源線１３２を含む。第１電源線１３１及び第２電源線１３２の各々は、絶縁体で被覆されている導線である。
【００４１】
第１電力線１３０は、光源部１１０から照射方向ＬＡと反対の方向に引き出される。具体的には、第１電源線１３１の一方端は、基板１１２の外側で、保持部１１３のアノード電極に接続される。第１電源線１３１の他方端は、放熱シート１２５の貫通孔１２５ａを通り、さらに第１ベース部１２０の貫通孔１２０ａから、第１ベース部１２０のうち第１面１２１の反対側に引き出され、電源部１９０の電源回路１９１（後述）に接続される。
【００４２】
一方、第２電源線１３２の一方端は、基板１１２の外側で、保持部１１３のカソード電極に接続される。第２電源線１３２の他方端は、放熱シート１２５の貫通孔１２５ａを通り、さらに第１ベース部１２０の貫通孔１２０ａから、第１ベース部１２０のうち第１面１２１の反対側に引き出され、電源部１９０の電源回路１９１に接続される。
【００４３】
電源部１９０は、第１ベース部１２０のうち第１所定領域１２１Ｗの反対側に固定されている。第１所定領域１２１Ｗの反対側は、第１ベース部１２０のうち、照射方向ＬＡと逆方向を向いている側である。具体的には、電源部１９０は、第１ベース部１２０のうち、第２面１２２に固定されている。なお、電源部１９０は、第３所定領域１２２Ｗに位置するように第２面１２２に固定されていてもよいし、第３所定領域１２２Ｗ及び第４所定領域１２２Ｓに位置するように第２面１２２に固定されていてもよい。本実施形態では、第１所定領域１２１Ｗと第３所定領域１２２Ｗとは互いに対向している。電源部１９０は、電源回路１９１と電源ケース１９２とを含む。図２では、図面の簡略化のため、電源回路１９１を２点鎖線で模式的に示している。
【００４４】
電源回路１９１は、電源ケース１９２に収容される。電源回路１９１は、光源部１１０の仕様に基づいて、外部電力（交流）を内部電力（直流）に変換する。本明細書において、内部電力を「電力」と記載する場合がある。そして、電源回路１９１は、第１電力線１３０を介して電力を光源部１１０に供給する。つまり、第１電力線１３０は、電源部１９０の電源回路１９１からの電力を光源部１１０に供給する。
【００４５】
電源ケース１９２は、本実施形態において、略直方体状である。電源ケース１９２は、例えば金属で形成されている。電源ケース１９２は、発光素子１１１からの熱を放散する。具体的には、電源ケース１９２は、第１ベース部１２０によって伝達される光源部１１０からの熱を放散する。従って、本実施形態では、光源部１１０の異常な温度上昇を更に抑制できる。加えて、電源ケース１９２は、電源回路１９１からの熱を放散する。
【００４６】
電源ケース１９２には、略矩形状の開口１９２ａと、孔１９４とを有する。開口１９２ａは、第１ベース部１２０に対向する。
【００４７】
電源ケース１９２は、２つの第１当接部１９３を有する。２つの第１当接部１９３は、略平板状であり、開口１９２ａを挟むように位置している。２つの第１当接部１９３は、それぞれ、開口１９２ａの縁から外側に向かって張り出している。２つの第１当接部１９３は、それぞれ、第１ベース部１２０の第２面１２２に沿った平坦面を有し、第１ベース部１２０の第３所定領域１２２Ｗに当接する。２つの第１当接部１９３は、それぞれ、ネジ孔１９３ｃを有する。２つのネジ孔１９３ｃの位置は、それぞれ、第１ベース部１２０の２つの貫通孔１２０ｃの位置に対応する。本実施形態において、孔１９４は、電源ケース１９２の側壁に形成されている。
【００４８】
結合具１１６は、本実施形態では、ネジである。２つの結合具１１６は、それぞれ、保持部１１３の２つの貫通孔１１３ｃを貫通する。さらに、２つの結合具１１６は、それぞれ、放熱シートの２つの貫通孔１２５ｃを貫通する。さらに、２つの結合具１１６は、それぞれ、第１ベース部１２０の２つの貫通孔１２０ｃを貫通する。そして、２つの結合具１１６は、それぞれ、電源ケース１９２の２つのネジ孔１９３ｃに螺合される。その結果、光源部１１０が、放熱シート１２５を介して第１ベース部１２０に固定されるとともに、電源部１９０が、第１ベース部１２０に固定される。
【００４９】
第２電力線１６０の一端は電源部１９０に接続され、第２電力線１６０の他端は第１コネクタ１７０に接続される。具体的には、第２電力線１６０は、光源部１１０に電力を供給するために、第３電源線１６３及び第４電源線１６４を含む。第３電源線１６３及び第４電源線１６４の各々は、絶縁体で被覆されている導線である。第３電源線１６３の一方端及び第４電源線１６４の一方端の各々は、電源回路１９１に接続される。そして、第３電源線１６３の他方端及び第４電源線１６４の他方端の各々は、電源ケース１９２の内部から孔１９４を通り、第２ベース部１５０の収容部１５１（後述）に導かれる。第３電源線１６３の他方端及び第４電源線１６４の他方端の各々は、電源ケース１９２の外部で第１コネクタ１７０に接続される。
【００５０】
第１コネクタ１７０は、接続部と被覆部とを含む。接続部は電気導電体により形成される。被覆部は、電気絶縁体により形成され、接続部を被覆する。第１コネクタ１７０は、第２コネクタ２００に対して着脱自在である。
【００５１】
第２コネクタ２００は、接続部と被覆部とを含む。接続部は電気導電体により形成される。被覆部は、電気絶縁体により形成され、接続部を被覆する。第２コネクタ２００は、第１コネクタ１７０に対して着脱自在である。第２コネクタ２００には、第３電力線２１０が接続されている。第１コネクタ１７０の接続部と第２コネクタ２００の接続部とは、電気的に接続されている。従って、第２電力線１６０と、第３電力線２１０とは、電気的に接続されている。
【００５２】
第３電力線２１０は、光源部１１０に電力を供給するために、第５電源線２１５及び第６電源線２１６を含む。第５電源線２１５及び第６電源線２１６の各々は、絶縁体で被覆されている導線である。第５電源線２１５の一方端及び第６電源線２１６の一方端の各々は、第２コネクタ２００に接続される。そして、第５電源線２１５の他方端及び第６電源線２１６の他方端の各々は、連結部３０に挿通される。
【００５３】
第２ベース部１５０は、収容部１５１及び第２当接部１５２を含む。収容部１５１の内面には、第２当接部１５２が設置されている。収容部１５１は、電源部１９０と第２電力線１６０と第１コネクタ１７０と第２コネクタ２００と第３電力線２１０の一部とを収容する。つまり、収容部１５１は、電源部１９０と第２電力線１６０と第１コネクタ１７０と第２コネクタ２００と第３電力線２１０の一部とを囲んでいる。
【００５４】
第２当接部１５２は、第１ベース部１２０に当接する。具体的には、第２当接部１５２は、２つの先端部１５３を有する。２つの先端部１５３は、それぞれ、収容部１５１の内部に向かって張り出している。２つの先端部１５３は、それぞれ、第１ベース部１２０の第２面１２２に沿った平坦面を有し、第２面１２２に当接する。具体的には、２つの先端部１５３は、それぞれ、第２面１２２の第４所定領域１２２Ｓに当接する。
【００５５】
２つの先端部１５３は、それぞれ、ネジ孔１５３ｄを有する。２つのネジ孔１５３ｄの位置は、第１ベース部１２０の２つの貫通孔１２０ｄの位置に対応する。
【００５６】
固定具１８０は、光源ユニット１００を第２ベース部１５０に固定している。具体的には、固定具１８０は、第１ベース部１２０の第１面１２１の側から、第１ベース部１２０を第２ベース部１５０に固定する。
【００５７】
更に具体的には、固定具１８０は、本実施形態では、ネジである。２つの固定具１８０は、それぞれ、第１ベース部１２０の２つの貫通孔１２０ｄを通される。そして、２つの固定具１８０は、それぞれ、第２当接部１５２の２つのネジ孔１５３ｄに螺合される。そして、第１ベース部１２０は、固定具１８０の頭部と第２当接部１５２の２つの先端部１５３とで締め付けられ、第２ベース部１５０に固定される。その結果、第１ベース部１２０に固定されている光源部１１０と電源部１９０とは、第２ベース部１５０に取り付けられる。
【００５８】
電源回路１９１には、第５電源線２１５、第２コネクタ２００、第１コネクタ１７０、及び第３電源線１６３、並びに、第６電源線２１６、第２コネクタ２００、第１コネクタ１７０、及び第４電源線１６４を介して、外部電源電圧（交流）が供給される。そして、電源回路１９１は、外部電源電圧に基づいて第１内部電源電圧（直流）を生成する。さらに、電源回路１９１は、第１電源線１３１を介して、光源部１１０に第１内部電源電圧を印加する。第１内部電源電圧は、例えばプラス電位を示す。なお、第１電源線１３１に印加された第１内部電源電圧は、保持部１１３のアノード電極に印加される。そして、保持部１１３のアノード電極に印加された第１電源電圧は、アノード電極１１２ａを介して発光素子１１１のアノードに印加される。また、電源回路１９１は、第２電源線１３２を介して、光源部１１０に第２内部電源電圧（直流）を印加する。第２内部電源電圧は、例えば接地電位を示す。なお、第２電源線１３２に印加された第２内部電源電圧は、保持部１１３のカソード電極に印加される。そして、保持部１１３のカソード電極に印加された第２内部電源電圧は、カソード電極１１２ｂを介して発光素子１１１のカソードに印加される。
【００５９】
以上、図１〜図３を参照して説明したように、本実施形態によれば、第２電力線１６０と第３電力線２１０とを第１コネクタ１７０及び第２コネクタ２００によって接続している。従って、固定具１８０を第２ベース部１５０から取り外し、第１コネクタ１７０と第２コネクタ２００とを取り外すことによって、容易に光源ユニット１００を取り外すことができる。その結果、容易に電源部１９０を交換することができる。
【００６０】
また、本実施形態によれば、結合具１１６によって、第１ベース部１２０に、電源部１９０と光源部１１０とが固定されている。従って、電源部１９０を第１ベース部１２０に固定する結合具と、光源部１１０を第１ベース部１２０に固定する結合具とが異なる場合と比較して、部品点数が少ない。その結果、照明器具１の軽量化、及びコストダウンを図ることができる。
【００６１】
さらに、本実施形態によれば、電源部１９０は、光源部１１０の仕様に基づいて、外部電力を内部電力に変換する。従って、光源部１１０とともに電源部１９０を交換することによって、異なる種類の光源部を備える光源ユニットに交換することができる。
【００６２】
さらに、本実施形態によれば、収容部１５１を設けることによって、第１電力線１３０、電源部１９０、第２電力線１６０、第１コネクタ１７０、第２コネクタ２００及び第３電力線２１０が露出することを抑制できる。その結果、照明器具１の美感を向上できる。
【００６３】
さらに、本実施形態によれば、光源部１１０と電源部１９０とは第１ベース部１２０に固定されており、第１ベース部１２０は固定具１８０によって第２ベース部１５０に固定されている。従って、固定具１８０を取り外すことによって、光源部１１０と電源部１９０とが固定されたたまま第１ベース部１２０を取り外すことができる。その結果、光源ユニット１００を容易に取り外すことができ、光源ユニット１００を容易に交換できる。また、光源ユニット１００を交換できるため、光源ユニット１００に故障が生じたとしても照明ユニット１１の全体を廃棄することなく、光源ユニット１００だけを廃棄できる。
【００６４】
さらに、本実施形態によれば、第１電力線１３０は、それぞれ、貫通孔１２０ａを通って第１ベース部１２０の第１面１２１の側から第２面１２２の側に引き出されている。従って、貫通孔を設けずに、第１電力線１３０が第１ベース部１２０の第１面１２１に沿って第２面１２２の側に引き出される場合と比較して、光源ユニット１００の大型化を抑制できる。すなわち、本実施形態では、第１ベース部１２０の第１面１２１に第１電力線１３０が配置されないため、第１ベース部１２０及び光源ユニット１００のサイズを小型化できる。
【００６５】
さらに、本実施形態によれば、第１ベース部１２０は、カバー１４０の外側の領域で、固定具１８０によって第２ベース部１５０に固定されている。従って、カバー１４０を保持部１１３から取り外すことなく、光源ユニット１００を第２ベース部１５０から取り外すことが出来る。その結果、さらに容易に光源ユニット１００を交換できる。ひいては、さらに容易に電源部１９０を交換できる。
【００６６】
さらに、本実施形態によれば、カバー１４０が光源部１１０（具体的には保持部１１３）に固定された状態で、光源ユニット１００を第２ベース部１５０から取り外すことができる。従って、発光素子１１１が露出されることなく、光源ユニット１００を第２ベース部１５０から取り外すことができる。その結果、光源ユニット１００を交換する際に、作業者が発光素子１１１、アノード電極１１２ａ、及びカソード電極１１２ｂに接触することを防止できる。
【００６７】
さらに、本実施形態によれば、基板１１２を保持する保持部１１３は、放熱シート１２５を介して第１ベース部１２０の第１所定領域１２１Ｗに固定されている。従って、基板１１２を取り外すことなく、光源ユニット１００を第２ベース部１５０から取り外すことができる。その結果、さらに容易に光源ユニット１００を交換できる。
【００６８】
さらに、本実施形態によれば、第１ベース部１２０のうち、第４所定領域１２２Ｓの少なくとも一部と第２所定領域１２１Ｓの少なくとも一部とは、それぞれ、電源部１９０及び保持部１１３に対して第１ベース部１２０の径方向外側に張り出している。従って、第１ベース部１２０は、光源ユニット１００の外気に接触する面積が広くなる。その結果、第１ベース部１２０によって、電源部１９０及び光源部１１０からの熱が更に効果的に放散される。
【００６９】
（変形例）
図４を参照して、本発明の実施形態の変形例に係る第１ベース部１２０について説明する。本変形例に係る第１ベース部１２０は、引出部としての貫通孔１２０ａ（図２）に代えて、引出部としての切欠き２２０ａを有している点で本実施形態に係る第１ベース部１２０と異なる。以下、本変形例が本実施形態と異なる点を主に説明する。
【００７０】
図４は、本変形例に係る照明器具１を示す分解斜視図である。図４に示すように、第１ベース部１２０は、切欠き２２０ａを有する。切欠き２２０ａは、本実施形態では、略Ｕ字状である。第１電力線１３０は、光源部１１０から照射方向ＬＡと反対の方向に引き出され、切欠き２２０ａを通って、第１ベース部１２０の第１面１２１の反対側に引き出される。
【００７１】
具体的には、第１電源線１３１は、放熱シート１２５の貫通孔１２５ａを通り、さらに切欠き２２０ａを通って、第１ベース部１２０の第１面１２１の反対側に引き出され、電源回路１９１に接続される。一方、第２電源線１３２は、放熱シート１２５の貫通孔１２５ａを通り、さらに切欠き２２０ａを通って、第１ベース部１２０の第１面１２１の反対側に引き出され、電源回路１９１に接続される。
【００７２】
本変形例によれば、照射方向ＬＡに略直交する方向から第１電力線１３０を切欠き２２０ａに挿入できる。その結果、第１電力線１３０を光源部１１０から電源部１９０まで容易に導くことができる。
【００７３】
以上、図面を参照しながら本発明の実施形態について説明した。但し、本発明は、上記の実施形態に限られるものではなく、その要旨を逸脱しない範囲で種々の態様において実施することが可能である（例えば、下記に示す（１）〜（４））。また、上記の実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【００７４】
（１）図２を参照して説明したように、本実施形態では、第１ベース部１２０は、略円板状であったが、第１ベース部１２０の形状は略円板状に限定されず、任意の形状でよい。例えば、第１ベース部１２０は、略多角形状であってもよい。また、基板１１２は、略矩形状であるが、基板１１２は、略円形状であってもよいし、略多角形状であってもよい。
【００７５】
（２）図２及び図３を参照して説明したように、本実施形態において、収容部１５１と第２当接部１５２とは、別部材として形成されているが、収容部１５１と第２当接部１５２とは一体に形成されてもよい。
【００７６】
（３）図１を参照して説明したように、第２ベース部１５０は、例えば金属で形成される。例えば、第２ベース部１５０は、アルミニウム製であることが好ましい。アルミニウムは軽量であるとともに、アルミニウムの熱伝導性は比較的高いからである。また、図２を参照して説明したように、電源ケース１９２は、例えば金属で形成されている。例えば、電源ケース１９２は、アルミニウム製であることが好ましい。アルミニウムは軽量であるとともに、アルミニウムの熱伝導性は比較的高いからである。
【００７７】
（４）図２を参照して説明したように、１つの貫通孔１２０ａ及び１つの貫通孔１２５ａを設けている。ただし、第１電源線１３１に対して１つの貫通孔１２０ａ及び１つの貫通孔１２５ａを設け、第２電源線１３２に対して１つの貫通孔１２０ａ及び１つの貫通孔１２５ａを設けてもよい。また、図４を参照して説明したように、１つの切欠き２２０ａ及び１つの貫通孔１２５ａを設けている。ただし、第１電源線１３１に対して１つの切欠き２２０ａ及び１つの貫通孔１２５ａを設け、第２電源線１３２に対して１つの切欠き２２０ａ及び１つの貫通孔１２５ａを設けてもよい。さらに、貫通孔１２５ａに代えて、切欠きを設けてもよい。
【産業上の利用可能性】
【００７８】
本発明は、光源ユニット及び照明器具の分野に利用可能である。
【符号の説明】
【００７９】
１        照明器具
１００    光源ユニット
１１０    光源部
１１１    発光素子
１１２    基板
１１３    保持部
１１６    結合具
１２０    第１ベース部
１２０ａ  貫通孔（引出部）
１２１Ｗ  第１所定領域（所定領域）
１２２Ｗ  第３所定領域
１３０    第１電力線
１４０    カバー
１５０    第２ベース部
１６０    第２電力線
１７０    第１コネクタ（コネクタ）
１８０    固定具
１９０    電源部
２２０ａ    切欠き（引出部）
【図１】
0006627038.tif 000002
【図２】
0006627038.tif 000003
【図３】
0006627038.tif 000004
【図４】
0006627038.tif 000005